(57)【特許請求の範囲】
【請求項１】
施術者の指を搭載する指搭載部と、前記指搭載部の幅方向に取りついていて、前記指を前記指搭載部に保持する指固定具と、前記指搭載部の一方の端から手術用器具を飛び出るように取りつける手術用器具固定具と、前記指搭載部の前記一方の端とは反対側の端側に接続してＬ字状に曲がって取りついていて、前記搭載される指以外の指でにぎり又は把持するためのにぎり・把持片とを有し、前記にぎり・把持片は、施術者の左右の利き手に対応するように向きが反対に取りつく手段を設けたことを特徴とする指搭載手術具。
【請求項２】
前記手術用器具固定具は、
前記指搭載部の指を搭載した側の裏側に、前記指搭載部とは分離可能な前記手術用器具を一体に固定するものであることを特徴とする請求項１記載の指搭載手術具。
【請求項３】
前記指搭載部は、前記搭載される指を載せる台状であるか、又は、前記搭載される指の先端に被せる袋状であることを特徴とする請求項１又は請求項２のいずれか１つに記載の指搭載手術具。
【請求項４】
前記にぎり・把持片は、指搭載部の上に指が搭載された場合に、前記搭載された指の底面から立ち上がって、前記把持する指の上面に上がるように曲がった構造を有することを特徴とする請求項１から請求項３のいずれか１つに記載の指搭載手術具。
【発明の詳細な説明】
【技術分野】
【０００１】
本発明は、施術者の指に搭載するメスやハサミなどの手術具に関するものである。
【背景技術】
【０００２】
従来の提案を図７に示す。
特許文献１に示されるものは、図７の７−Ａ、７−Ｂに示されるものであり、７−Ａでは、指先に取り付けるための挿入管状部についたピンセットがしめされている。７−Ｂには、指輪状部に取りつく電気メスが示されている。特許文献２に示されるものは、図７の７−Ｃに示されるものであり、指キャップの先端にかぎ状のフックがついている。７−Ａから７−Ｃのいずれの例においても、指先に施術用の器具を取り付けるものである。これらに共通して言えることは、患者の体を施術用の器具で接触して切断、引張などを行うため、極めて繊細で確実な動きが要求される。そうでないと、例えば、メスでは、意図せざる部分を切ってしまう恐れがある。しかるに、このような器具には、以下の矛盾がする要求がある。すなわち、指を繊細かつ確実に動かしても、体に接触した器具は、動かしたときに、体に引かれて動いてしまう。繊細かつ確実な動きを指に連動して行うには、指から器具は動いてはいけない。ところが、指から器具を動かいようにきつく器具を指に付けると、指の血行が阻害され、施術行動に支障が出る。このような矛盾の中で、７−Ａから７−Ｃのいずれの例でも、共通に、指に器具を取り付けることはできても、器具の指への取付けが緩いものにならざるを得ず、施術行動の中で器具が動いてしまい繊細かつ確実な施術が不可能であった。このような指搭載手術具を製作して使ってみると、現実には、繊細かつ確実な施術は困難であった。
【先行技術文献】
【特許文献】
【０００３】
【特許文献１】特表２００２−５０４８３２
【特許文献２】特表２００６−５１７８４０
【発明の概要】
【発明が解決しようとする課題】
【０００４】
本発明の課題は、器具を指に血行が阻害を起こさない程度に緩く取り付け、それでも施術行動において、器具が指に対して動かい指搭載手術具を提供することである。
【課題を解決するための手段】
【０００５】
本発明にかかる指搭載手術具は、手術用器具とこれを先端側に取り付ける指搭載部と指搭載部の幅方向取りついていて、指を保持する指固定具と指搭載部の後端側からＬ字状に曲がって取りつき、搭載指以外の指で把持するためのにぎり・把持片を有する。尚、手術用器具としては、メス、電気メス、はさみ、ピンセット、鉗子などがある。ここでは、施術者が手でもって患者の施術に使用する用具が対象になる。
以下、請求項に沿って記述する。
【０００６】
請求項１記載の発明は、指搭載手術具であって、
施術者の指を搭載する指搭載部と、前記指搭載部の幅方向に取りついていて、前記指を前記指搭載部に保持する指固定具と、前記指搭載部の一方の端から手術用器具を飛び出るように取りつける手術用器具固定具と、前記指搭載部の前記一方の端とは反対側の端側に接続してＬ字状に曲がって取りついていて、前記搭載される指以外の指でにぎり又は把持するためのにぎり・把持片とを有し、前記にぎり・把持片は、施術者の左右の利き手に対応するように向きが反対に取りつく手段を設けたことを特徴とする。
【０００７】
請求項２記載の発明は、請求項１記載の指搭載手術具において、
前記手術用器具固定具は、前記指搭載部の指を搭載した側の裏側に、前記指搭載部とは分離可能な前記手術用器具を一体に固定するものであることを特徴とする。
【０００８】
請求項３記載の発明は、請求項１又は請求項２のいずれか１つに記載の指搭載手術具において、
前記指搭載部は、前記搭載される指を載せる台状であるか、又は、前記搭載される指の先端に被せる袋状であることを特徴とする。
【０００９】
請求項４記載の発明は、請求項１から請求項３のいずれか１つに記載の指搭載手術具において、
前記にぎり・把持片は、指搭載部の上に指が搭載された場合に、前記搭載された指の底面から立ち上がって、前記把持する指の上面に上がるように曲がった構造を有することを特徴とする。
【発明の効果】
【００１０】
以上の様に構成されているので、本発明による指搭載手術具は、手術用の器具を指に血行が阻害を起こさない程度に緩く取り付け、それでも施術行動において、器具が指に対して動かない効果を有する。
【図面の簡単な説明】
【００１１】
【図１】本発明の指搭載手術具の一実施態様を示す図である。
【図２】本発明の指搭載手術具の使用状態の一実施態様を示す図である。
【図３】本発明の指搭載手術具の他の実施態様を示す図である。
【図４】本発明の指搭載手術具の手術器具の取付けの実施態様を示す図である。
【図５】本発明の指搭載手術具の右利き及び左利き施術者用の一実施態様を示す図である。
【図６】本発明の指搭載手術具の右利き及び左利き施術者共用の一実施態様を示す図である。
【図７】従来の発明及び提案を示す図である。
【発明を実施するための形態】
【００１２】
本発明による指搭載手術具は、施術者の指を搭載する指搭載部と、指搭載部の幅方向取りついていて、指を指搭載部に保持する指固定具と、指搭載部の一方の端から飛び出るように取りついた手術用器具と、指搭載部の一方の端とは反対側の端側に接続してＬ字状に曲がって取りついていて、搭載された指以外の指でにぎり把持するためのにぎり・把持片とを有する。
以下図に沿って説明する。
【００１３】
図１は、本発明の指搭載手術具の一実施態様を示す図である。
指搭載部１２０は、施術者の指、主に人差し指を搭載する台状又は袋状のものであり、台状のものでは、指の幅方向に指を保持する指固定具１３０を備え、袋状のものでは、袋で指固定具１３０を兼用可能である。指搭載部１２０の先端側には、手術用器具１１０（この図の例では電気メスの刃先端部）が取り付けられる。にぎり・把持片１４０は、指搭載部１２０の後端側からＬ字状に曲がって取りついていて、搭載指以外の指で把持するためのものである。この図の例では、電気メスを例にしているので、電気メスの電気装置からの配線を接続する接続部も備えているが、電気メスのように電気装置でない場合は、先端側の手術用器具１１０のみでよい。尚、１−Ａには、右利きの場合に、にぎり・把持片１４０を中指から小指でにぎるためのものを示し、１−Ｂには、指の厚み方向に狭い空間での手術用であって、中指から小指でにぎると狭い空間では施術しにくい場合に、中指から小指でにぎらずに、人差し指と親指の間でにぎり・把持片１４０をにぎるためのものを示している。この場合には、１−Ｂに示すようににぎり・把持片１４０を、人差し指の底面から立ち上がって、親指の上面に上がるように曲がった構造が好ましい。また、にぎらなくとも中指側に少しにぎり・把持片１４０が突出している突出部１５０を備えると、その面が中指に当たって、強化した固定ができる。
勿論、突出部１５０を長くとれば、１−Ａと１−Ｂを融合したような構成となる。
【００１４】
図２は、本発明の指搭載手術具の使用状態の一実施態様を示す図である。図１のものを使用する状態を示している。手術時の取付け指２１０（主に人差し指）を指搭載部１２０の上において、指固定具１３０（この図では、帯状付着具、特にベルクロや粘着テープなどが適する）で取付け指２１０を指に血行阻害を起こさない程度に緩く取り付け固定する。一方、１−Ａのものを使った場合は、２−Ａのようになるが、取付け指２１０以外の指、２−Ａでは、中指から小指までの指をにぎり指２２０としてにぎり・把持片１４０をしっかり把持する。また、１−Ｂのものを使った場合は、２−Ｂのようになり、にぎり・把持片１４０を親指をにぎり指２２０として、親指と人差指の間で挟むようにする。
このように、にぎり指２２０でにぎり・把持片１４０をしっかり把持するので、取付け指２１０への指固定具１３０の保持が緩くても、指搭載部１２０は動かず、その結果、手術用器具１１０も動くことが無くなり、繊細かつ確実な手術が可能となる。
【００１５】
図３は、本発明の指搭載手術具の他の実施態様を示す図である。
特に電気メスに適用する場合に好都合な構成である。
指搭載部１２０の指搭載以外の面、好都合には、指搭載部１２０の指搭載側の裏側に電気メスの刃先端部３１０を保持するホルダー３２０を接触させて、手術用器具固定具３３０（ここでもベルクロや粘着テープ等の帯状付着具が適当であるが、他の手術用器具固定具の例は図４で説明する）で固定する。使用状態は、図２で説明したことと同じである。
このような構成では、図１の例に比べて、構成が簡単になり、刃先端部３１０とホルダー３２０と他の部分（指搭載部１２０、指固定具１３０、指固定具１３０）を別体で構成できる利点がある。
３−Ａには、ホルダー３２０を指搭載部１２０に取り付けてない状態を、３−Ｂには、取り付けた状態を示している。
【００１６】
図４は、本発明の指搭載手術具の手術器具の取付けの実施態様を示す図である。
図３の場合の刃先端部３１０の付いたホルダー３２０を指搭載部１２０に取り付ける手段の例を示している。
４−Ａでは、結束バンドによる例である。指搭載部１２０の指を置く側から通し穴Ａ１２１を通り、ホルダー３２０を巻くようにして、指搭載部１２０に開いた通し穴Ｂ１２２を通った結束バンド４１０が、通し穴Ｂ１２２側の噛みあい部と噛み合って、堅固にホルダー３２０を固定している。
４−Ｂでは、指搭載部１２０の一端に付いた回転可能なＣ字状アーム４２０とこれを押さえる指搭載部１２０の他端に付いた回転可能なコの字状アーム４３０を備えて、図示のようにホルダー３２０を固定している。
４−Ｃでは、もっとも簡単な例として、ベルクロや粘着テープなどの帯状付着具４４０がホルダー３２０を固定している。図３は、４−Ｃの帯状付着具４４０の例で示したが、その他の手段がとれる。
【００１７】
図５は、本発明の指搭載手術具の右利き及び左利き施術者用の一実施態様を示す図である。
５−Ａには、図１から図４に示したように、右利きの施術者が使用するためににぎり・把持片１４０が付いているものであり、これに対して、左利きの施術者が使用するためには、５−Ｂのようににぎり・把持片１４０が逆方向についているものを示している。従って、５−Ｂの左利き用のものも図１から図４のことがいえることは当然である。
【００１８】
図６は、本発明の指搭載手術具の右利き及び左利き施術者共用の一実施態様を示す図である。この例では、６−Ａでは、にぎり・把持片１４０が指搭載部１２０に回転軸６１０の周りに回転可能に取りついている例であり、６−Ｂでは、にぎり・把持片１４０が指搭載部１２０に備えた差し込み部６２０を備えた例である。差し込み部６２０は、右利きと左利き用に反対側から差し込むことが可能となっている。
【００１９】
尚、図３から図６のものは、図１の１−Ａのものに対応した例を示したが、１−Ｂのものについても全く同様のことが可能である。
【産業上の利用可能性】
【００２０】
以上のように本発明による指搭載手術具は、手術用の器具を指に血行が阻害を起こさない程度に緩く取り付け、それでも施術行動において、器具が指に対して動かないため、産業上利用して極めて好都合である。
【符号の説明】
【００２１】
１１０  手術用器具
１２０  指搭載部
１２１  通し穴Ａ
１２２  通し穴Ｂ
１３０  指固定具
１４０  にぎり・把持片
１５０  突出部
２１０  取付け指
２２０  にぎり指
３１０  刃先端部
３２０  ホルダー
３３０  手術用器具固定具
４１０  結束バンド
４２０  Ｃ字状アーム
４３０  コの字状アーム
４４０  帯状付着具
６１０  回転軸
６２０  差し込み部
以上。
【図１】
0006592778.tif 000002
【図２】
0006592778.tif 000003
【図３】
0006592778.tif 000004
【図４】
0006592778.tif 000005
【図５】
0006592778.tif 000006
【図６】
0006592778.tif 000007
【図７】
0006592778.tif 000008